(57)【要約】【課題】レイアウト変更に対応した照明環境を迅速に構築する照明システムを提供する。【解決手段】本発明の照明システムは、特定空間に対応して設けられる照明機器１００と、前記照明機器１００の照射光の光量を制御する主制御部５００と、前記特定空間内に存在する什器に添着されるタグの記憶情報を読み取るＲＦＩＤタグリーダ２００と、を有し、前記主制御部５００は、前記ＲＦＩＤタグリーダ２００で読み取られたＲＦＩＤタグの記憶情報に応じて、前記照明機器１００の光量を制御することを特徴とする。【選択図】図３
2010123483.tif 000002
【特許請求の範囲】
【請求項１】
特定空間に対応して設けられる照明機器と、
前記照明機器の照射光の光量を制御する制御部と、
前記特定空間内に存在する什器に添着されるタグの記憶情報を読み取るタグリーダと、を有し、
前記制御部は、前記タグリーダで読み取られたタグの記憶情報に応じて、前記照明機器の光量を制御することを特徴とする照明システム。
【請求項２】
前記制御部は、前記タグリーダで読み取られたタグ記憶情報に応じて、前記照明機器の照射光の波長特性を制御することを特徴とする請求項１に記載の照明システム。
【発明の詳細な説明】
【技術分野】
【０００１】
本発明は、オフィスなどにおいて照明機器を制御するために利用される照明システムに関する。
【背景技術】
【０００２】
従来、オフィスなどにおいて人手を煩わせることなく、照明機器などの設備を制御するための様々な照明システムがこれまで提案されてきた。例えば、このような照明システムとしては、特許文献１（特開２０００−２７６９３８号公報）に、照明装置が、第１の人感センサと第２の人感センサとを備えた人感センサ装置を備えてなり、第２の人感センサの第２の検出範囲は、第１の人感センサの第１の検出範囲を含みかつ第１の検出範囲より広く設定し、各人感センサからの信号に応じて、制御装置が予め設定した調光パターンで各ランプを点灯制御する照明システムが開示されている。
【特許文献１】特開２０００−２７６９３８号公報
【発明の開示】
【発明が解決しようとする課題】
【０００３】
しかしながら、従来の照明システムでは、予めその対象となる部屋や場所の使用用途により必要照度を算出し、それに併せて器具を設置していたため、比較的頻繁にレイアウト変更さるオフィスなどにおける照明システムとしては不適切である、という問題があった。
【課題を解決するための手段】
【０００４】
この発明は、上記のような種々の課題を解決するものであって、請求項１に係る発明は、特定空間に対応して設けられる照明機器と、前記照明機器の照射光の光量を制御する制御部と、前記特定空間内に存在する什器に添着されるタグの記憶情報を読み取るタグリーダと、を有し、前記制御部は、前記タグリーダで読み取られたタグの記憶情報に応じて、前記照明機器の光量を制御することを特徴とする照明システムである。
【０００５】
また、請求項２に係る発明は、請求項１に記載の照明システムにおいて、前記制御部は、前記タグリーダで読み取られたタグの記憶情報に応じて、前記照明機器の照射光の波長特性を制御することを特徴とする。
【発明の効果】
【０００６】
本発明に係る照明システムによれば、制御部は、前記ＲＦＩＤタグリーダで読み取られた什器に添着されるＲＦＩＤタグ記憶情報に応じて、照明機器の照射光の光量を制御したり、照明機器の照射光の波長特性を制御したりするので、オフィスなどにおいて、レイアウト変更に対応した照明環境を迅速に提供することが可能となる。
【発明を実施するための最良の形態】
【０００７】
以下、本発明の実施の形態を図面を参照しつつ説明する。図１は本発明の実施の形態に係る照明システムの運用形態例を示す図である。図１において、空間Ａ、空間Ｂ、空間Ｃのそれぞれには、それぞれの空間に対応した照明機器、ＲＦＩＤタグリーダ、人感センサ、照度センサが専用に設けられている。すなわち、空間Ａには、空間Ａ専用の照明機器１００a、ＲＦＩＤタグリーダ２００a、人感センサ３００a、照度センサ４００aが、空間Ｂには、空間Ｂ専用の照明機器１００ｂ、ＲＦＩＤタグリーダ２００ｂ、人感センサ３００ｂ、照度センサ４００ｂが、空間Ｃには、空間Ｃ専用の照明機器１００ｃ、ＲＦＩＤタグリーダ２００ｃ、人感センサ３００ｃ、照度センサ４００ｃがいずれも設けられている。
【０００８】
なお、本実施形態においては空間Ａ、空間Ｂ、空間Ｃにおいて、照明機器を制御する例について説明するが、本発明の照明システムは、このような空間数に限定されるものではなく、任意の自然数の空間で照明機器を制御することが可能である。
【０００９】
照明機器１００は、本発明の照明システムが制御する対象となるものであり、後述するような構成の照明機器を用いると本発明に好適であるが、任意のものを用いることが可能である。また、ＲＦＩＤタグリーダ２００は、それぞれの空間に存在するＲＦＩＤタグに記憶される情報を読み取ることが可能なものである。本発明の照明システムでは、このようなＲＦＩＤタグリーダ２００によって検出されたＲＦＩＤタグの記憶情報に基づいて、照明機器１００の制御を行うようにしている。
【００１０】
なお、本実施形態においてはタグリーダとしては、ＲＦＩＤ方式のものを用いる例について説明するが、本発明の照明システムはこれに限定されず、任意の無線通信方式でタグの記憶情報を読み取ることができるものであれば、どのようなものを用いても構わない。
【００１１】
人感センサ３００は、例えば焦電型のものを用いることができ、このような人感センサ３００によってそれぞれの空間に存在する人の検知を行うものである。また、照度センサ４００は、当該空間における明るさを検出するものであり、このように検出された情報に基づいて、照明機器１００の制御を行うようにしている。照明機器１００、ＲＦＩＤタグリーダ２００、人感センサ３００、照度センサ４００はいずれも後述する主制御部に接続されている。
【００１２】
ここで、本発明の照明システムにおいては、オフィスなどの什器のそれぞれにＲＦＩＤタグを添着しておき、什器に係る情報を当該ＲＦＩＤタグの記憶情報として保持するようにする。このような什器としてはどのようなものでもよいが、本実施形態においては、応接用テーブル、会議用テーブル、事務机の３種類の什器を例に説明する。
【００１３】
応接用テーブルに添着されるＲＦＩＤタグには、什器が「応接用テーブル」である旨の記憶情報が、また、会議用テーブルに添着されるＲＦＩＤタグには、什器が「会議用テーブル」である旨の記憶情報が、また、事務机に添着されるＲＦＩＤタグには、什器が「事務机」である旨の記憶情報が格納されており、ＲＦＩＤタグリーダ２００はこれらの記憶情報を読み取る。そして、本発明の照明システムにおいては、ＲＦＩＤタグリーダ２００で、ＲＦＩＤタグの記憶情報を読み取る。
【００１４】
ＲＦＩＤタグリーダ２００で読み取った記憶情報が、什器が「応接用テーブル」である旨の記憶情報であったときには、「応接用テーブル」が用いられる環境に適した照明制御を行う。また、ＲＦＩＤタグリーダ２００で読み取った記憶情報が、什器が「会議用テーブル」である旨の記憶情報であったときには、「会議用テーブル」が用いられる環境に適した照明制御を行う。また、ＲＦＩＤタグリーダ２００で読み取った記憶情報が、什器が「事務机」である旨の記憶情報であったときには、「事務机」が用いられる環境に適した照明制御を行う。
【００１５】
例えば、「応接用テーブル」が用いられる環境は暖色系の照明が適当であったり、「事務机」が用いられる環境は例えば寒色系の照明が適当であったりするので、本発明では空間に設置される什器に基づく照明制御を行うようにするものである。このために本発明においては、それぞれの什器に添着するＲＦＩＤタグと、これを読み取るＲＦＩＤタグリーダ２００とを用いるようにしている。このように本発明の照明システムでは、空間に配される什器に応じて、照明を制御するものであるので、レイアウト変更に対応した照明環境を迅速に提供することが可能となる。
【００１６】
次に、本発明の本発明の照明システムで用いる照明機器１００の例について説明する。図２は本発明の実施の形態に係る照明システムに好適な照明機器を説明する図である。図２は照明機器１００の照明光照射部を図示するものであり、この照明光照射部には、白色ＬＥＤ１１０及び赤色ＬＥＤ１２０の２種類の交互に並べられている。このような照明機器１００では、白色ＬＥＤ１１０の光量及び赤色ＬＥＤ１２０の光量を任意に制御することによって、照明機器１００による照射光の光量の調整と、照射光の波長特性を制御することが可能となる。なお、本実施形態においては、白色ＬＥＤ１１０及び赤色ＬＥＤ１２０の２種類の交互に並べる例について説明したが、２種類以上の発光特性（波長特性）を持つ光源を組み合わせて用いるものであれば、どのようなものを用いても構わない。
【００１７】
次に、本発明の照明システムのブロック図について説明する。図３は本発明の実施の形態に係る照明システムのシステム構成を示す図である。図３において、主制御部５００は、中央演算装置や記憶装置からなる汎用の情報処理機構であり、これは、例えば汎用的なコンピュータシステムにより構成することができる。本発明の照明システムの機能は、例えば、前記記憶装置に書き込まれたコンピュータプログラムを実行することにより実現される。
【００１８】
この主制御部５００には、それぞれの空間における照明機器１００、ＲＦＩＤタグリーダ２００、人感センサ３００、照度センサ４００が接続されており、主制御部５００は、照明機器１００を制御したり、ＲＦＩＤタグリーダ２００によってタグ記憶情報を読み取ったり、人感センサ３００、照度センサ４００から検出情報を得たりする。
【００１９】
照明機器１００は、白色ＬＥＤ１１０の光量を制御する白色ＬＥＤ光量制御部１３０、赤色ＬＥＤ１２０の光量を制御する赤色ＬＥＤ光量制御部１４０とを有しており、それぞれの光量制御部を独立的に制御することによって、照明機器１００自体としての照射光の光量、波長特性を制御することが可能となる。
【００２０】
また、設定記憶部６００は、ＲＦＩＤタグリーダ２００で読み取ったるＲＦＩＤタグ記憶情報で特定される什器と、当該什器が空間に設けられているときの、白色ＬＥＤ１１０及び赤色ＬＥＤ１２０の光量の設定が記憶されるものである。図４は本発明の実施の形態に係る照明システムの設定記憶部における記憶情報例を示す図である。
【００２１】
本発明の照明システムにおいては、照度センサ４００の検知結果によって、照明機器１００による照射光の光量レベルを高めにするか、低めにするかを設定する。すなわち、照度センサ４００の検知の情報に基づいて、照明機器１００によって、照射する照度レベルをレベルＡ（光量大）、レベルＢ（光量小）のいずれかとする。なお、本実施形態では、照度レベルを２段階としたが３段階以上とすることも可能である。
【００２２】
例えば、ＲＦＩＤタグリーダ２００で読み取ったＲＦＩＤ記憶情報から什器が「応接用テーブル」であると特定され、必要とする照度レベルがＡであると検知されたときには、白色ＬＥＤを８０％で、赤色ＬＥＤを１００％で発光するように制御する。このような制御を行うための設定情報が、図４に示すように、設定記憶部６００に記憶されている。
【００２３】
また、白色ＬＥＤの発光量で、赤色ＬＥＤの発光量が設定記憶部６００によって、それぞれ独立に制御されるので、照明機器１００の照射光の波長特性を制御することとなる。
【００２４】
次に、以上のように構成される本発明のシステムにおける制御について説明する。図５は本発明の実施の形態に係る照明システムの制御処理のフローチャートを示す図である。なお、本フローチャートは空間Ａのみを制御するものを示している。また、本フローチャートは本発明のシステムにおける照明機器の点灯制御のみについて示すものである。なお、本発明に係る照明システムを制御するためのフローチャートは図５に示すもの以外に種々の態様が考えられる。
【００２５】
図５において、ステップＳ１００で、空間Ａのための照明システム点灯処理が開始されると、続いてステップＳ１０１に進み、人感センサ３００aの読み込みが行われる。
【００２６】
ステップＳ１０２では、人感センサ３００aで人が検出されたか否かが判定される。ステップＳ１０２における判定の結果がＮＯであるときにはステップＳ１１０に進み、白色ＬＥＤ光量制御部１３０及び赤色ＬＥＤ光量制御部１４０を共にオフとして、照明機器１００aの点灯を一切行わない。また、ステップＳ１０２における判定の結果がＹＥＳであるときにはステップＳ１０３に進む。
【００２７】
ステップＳ１０３では、ＲＦＩＤタグリーダ２００aからＲＦＩＤタグの記憶情報の読み込みが行われ、ステップＳ１０４では、当該記憶情報から什器の特定が行われる。
【００２８】
続いて、ステップＳ１０５では、照度センサ４００aの読み込みが行われる。そして、ステップＳ１０６では、読み込まれた照度レベルが所定値以上であるか否かであるかが判定される。
【００２９】
ステップＳ１０６の判定結果がＮＯでるときには、ステップＳ１０７に進む。このとき、照明機器１００aでの照射光量は大きく設定する必要がある。ステップＳ１０７では、図４の設定記憶部６００からレベルＡの読み込み（光量高）を行う。
【００３０】
また、ステップＳ１０６の判定結果がＹＥＳでるときには、ステップＳ１０９に進む。このとき、照明機器１００aでの照射光量は小さい設定で構わない。ステップＳ１０９では、図４の設定記憶部６００からレベルＢの読み込み（光量小）を行う。
【００３１】
ステップＳ１０８では、読み込まれた設定に基づき白色ＬＥＤ光量制御部１３０及び赤色ＬＥＤ光量制御部１４０の光量制御を行い、ステップＳ１１１では、点灯制御処理を終了する。
【００３２】
以上のような本発明の構成によれば、主制御部５００は、ＲＦＩＤタグリーダ２００で読み取られた什器に添着されるＲＦＩＤタグ記憶情報に応じて、照明機器１００の照射光の光量を制御したり、照明機器の照射光の波長特性を制御したりするので、オフィスなどにおいて、レイアウト変更に対応した照明環境を迅速に提供することが可能となる。
【図面の簡単な説明】
【００３３】
【図１】本発明の実施の形態に係る照明システムの運用形態例を示す図である。
【図２】本発明の実施の形態に係る照明システムに好適な照明機器を説明する図である。
【図３】本発明の実施の形態に係る照明システムのシステム構成を示す図である。
【図４】本発明の実施の形態に係る照明システムの設定記憶部における記憶情報例を示す図である。
【図５】本発明の実施の形態に係る照明システムの制御処理のフローチャートを示す図である。
【符号の説明】
【００３４】
１００、１００a、１００ｂ、１００ｃ・・・照明機器
１１０・・・白色ＬＥＤ
１２０・・・赤色ＬＥＤ
１３０・・・白色ＬＥＤ光量制御部
１４０・・・赤色ＬＥＤ光量制御部
２００、２００a、２００ｂ、２００ｃ・・・ＲＦＩＤタグリーダ
３００、３００a、３００ｂ、３００ｃ・・・人感センサ
４００、４００a、４００ｂ、４００ｃ・・・照度センサ
５００・・・主制御部
６００・・・設定記憶部
【図１】
2010123483.tif 000003
【図２】
2010123483.tif 000004
【図３】
2010123483.tif 000005
【図４】
2010123483.tif 000006
【図５】
2010123483.tif 000007